(57)【要約】【課題】配信先のエリアの指示を適確且つ容易に行なうことができ、しかも顧客の負担が少なく、実現が容易なメール配信システムを提供する。【解決手段】利用者からの要求に基づいて、統合データベースから必要なデータを検索して前記要求に対応する地図を用いて顧客を絞り込むエリアを指示するための検索用画面を表示する検索画面部２５と、利用者が検索用画面に表示された地図を用いて、顧客の絞込みを行なったエリア内に含まれる座標データを前記統合データベースから検索するマッピング部２６と、マッピング部２６が検索した座標データに基づいて顧客に関するデータのうちメール配信に必要なデータを取得する顧客データ検索部２７と、顧客データ検索部が検索したデータに基づいて、利用者が入力した文章を配信するメール配信部２８とを備える。【選択図】　　図１
2004094740.tif 000002
【特許請求の範囲】
【請求項１】
座標データを含む地図データと、顧客の住所に対応する緯度経度の座標データを含む顧客に関するデータとを有する統合データベースと、
住所又は郵便番号のデータを対応する緯度経度の座標データに変換して出力するジオコーディング手段と、
顧客に関するデータが新規登録又は変更されると、その顧客の住所又は郵便番号のデータを前記ジオコーディング手段に送って、前記座標データを取得し、その座標データに基づいて前記統合データベースの内容を更新する等の前記統合データベースの管理を行なう管理手段と、
利用者からの要求に基づいて、前記統合データベースから必要なデータを検索して前記要求に対応する地図を用いて顧客を絞り込むエリアを指示するための検索用画面を表示する検索画面表示手段と、
前記検索用画面に表示された地図を用いて、顧客の絞込みを行なうエリアを指示するエリア指示手段と、
前記統合データベースを用いて前記指示されたエリア内に含まれる前記座標データを検索し、その座標データに基づいて顧客に関するデータのうちメール配信に必要なデータを取得する検索手段と、
前記検索手段が検索したデータに基づいて、利用者が入力した文章を配信するメール配信手段と、
を具備することを特徴とするメール配信システム。
【請求項２】
複数の端末とシステムサーバとが電話回線等を用いたネットワークで接続されているメール配信システムであって、
座標データを含む地図データと、顧客の住所に対応する緯度経度の座標データを含む顧客に関するデータとを有する統合データベースを備え、且つ、
前記システムサーバは、
住所又は郵便番号のデータを対応する緯度経度の座標データに変換して出力するジオコーディング手段と、
顧客に関するデータが入力又は変更されると、その顧客の住所又は郵便番号のデータを前記ジオコーディング手段に送って、座標データを取得し、その座標データに基づいて前記統合データベースの内容を更新する等の前記統合データベースの管理を行なう管理手段と、
前記端末からの要求に基づいて、前記統合データベースから必要なデータを検索して前記要求に対応する地図を用いて顧客を絞り込むエリアを指示するための検索用画面を前記端末の画面に表示する検索画面表示手段と、
前記端末が顧客を絞り込むエリアを指示して送信してきたときに、前記統合データベースを用いて前記指示されたエリア内に含まれる前記座標データを検索し、その座標データに基づいて顧客に関するデータのうちメール配信に必要なデータを取得する検索手段と、
前記検索手段が検索したデータに基づいて前記端末から送られてきた文章を配信するメール配信手段と、を有し、
前記端末は、
前記システムサーバから送られてきた検索用画面等を表示する表示手段と、
前記表示手段によって表示された検索用画面の地図上で顧客を絞り込むエリアを指示するための指示手段と、
配信する文章を入力する入力手段と、を有する
ことを特徴とするメール送信システム。
【請求項３】
前記システムサーバは、前記端末が顧客を絞り込むエリアを送信してきたときに、前記端末に対して、そのエリア内に含まれる座標データの件数を前記端末に送信し、前記端末からの配信の指示があったときに、前記メール配信手段により、前記文章を配信することを特徴とする請求項２記載のメール送信システム。
【請求項４】
前記統合データベースを、顧客ＩＤのデータを含む顧客に関するデータを有する顧客データベースと、
座標データを含む地図データと、前記顧客ＩＤのデータと前記顧客ＩＤと対応する顧客の座標データとを有する地図データベースとに分けたことを特徴とする請求項２又は３記載のメール配信システム。
【請求項５】
前記ジオコーディング手段の代わりに、前記ネットワークに接続された、住所又は郵便番号のデータを対応する緯度経度の座標データに変換して出力するジオコーディングサーバを設けたことを特徴とする請求項２、３又は４記載のメール配信システム。
【請求項６】
座標データを含む地図データと、顧客の住所に対応する緯度経度の座標データを含む顧客に関するデータとを有する統合データベースの顧客に関するデータが新規登録又は変更されると、その顧客の住所又は郵便番号のデータを対応する緯度経度の座標データに変換し、変換した座標データに基づいて前記統合データベースの内容を更新する等の前記統合データベースの管理を行なう管理ステップと、
利用者からの要求に基づいて、前記統合データベースから必要なデータを検索して前記要求に対応する地図を用いて顧客を絞り込むエリアを指示するための検索用画面を表示する検索画面表示ステップと、
前記検索用画面に表示された地図を用いて、顧客の絞込みを行なうエリアを指示するエリア指示ステップと、
前記統合データベースを用いて前記指示されたエリア内に含まれる前記座標データを検索し、その座標データに基づいて顧客に関するデータのうちメール配信に必要なデータを取得する検索ステップと、
前記検索ステップが検索したデータに基づいて、利用者が入力した文章を配信するメール配信ステップと、
を具備することを特徴とするメール配信方法。
【請求項７】
メールを配信するためのコンピュータを、
座標データを含む地図データと、顧客の住所に対応する緯度経度の座標データを含む顧客に関するデータとを有する統合データベースを記録するデータ記録手段、
住所又は郵便番号のデータを対応する緯度経度の座標データに変換して出力するジオコーディング手段、
顧客に関するデータが新規登録又は変更されると、その顧客の住所又は郵便番号のデータを前記ジオコーディング手段に送って、前記座標データを取得し、その座標データに基づいて前記統合データベースの内容を更新する等の前記統合データベースの管理を行なう管理手段、
利用者からの要求に基づいて、前記統合データベースから必要なデータを検索して前記要求に対応する地図を用いて顧客を絞り込むエリアを指示するための検索用画面を表示する検索画面表示手段、
前記検索用画面に表示された地図を用いて、顧客の絞込みを行なうエリアを指示するエリア指示手段、
前記統合データベースを用いて前記指示されたエリア内に含まれる前記座標データを検索し、その座標データに基づいて顧客に関するデータのうちメール配信に必要なデータを取得する検索手段、及び、
前記検索手段が検索したデータに基づいて、利用者が入力した文章を配信するメール配信手段として機能させるためのメール配信プログラム。
【発明の詳細な説明】
【０００１】
【発明の属する技術分野】
本発明は、顧客にメールを配信する際に、顧客の絞込みを行なってメールを配信することができるメール配信システム、メール配信方法及びメール配信プログラムに関するものである。
【０００２】
【従来の技術】
従来から、広告情報、商品情報等を消費者にアナウンスするために、ダイレクトメールを送ったり、電子メールを発信したりすることは広く行われている。この場合、興味のない人に電子メールを送信して消去されたり、ダイレクトメールを送付しても破棄されたりすることのない様に、ある程度送付先となる対象を絞り、できるだけ効率的に送付することが行われている。例えば、対象を絞るために、消費者に、情報が欲しいジャンル、興味を持つ商品、住所、電話番号、ｅ−ｍａｉｌアドレス、連絡先等を登録してもらい、送信先のリスト、データベースを作成し、アナウンスしたい商品やジャンルに興味を持つ人をそのデータベースから検索している。また、特定の店舗の近隣に配布したいのであれば、店舗の住所を元にその周辺の住所又は郵便番号を入力して絞り込みを行なっている。
【０００３】
また、特開２０００−２９８６９０号には、利用者に関係のある位置情報又は利用者が明示的に検索した場所の位置情報を利用者毎に収集して、利用者毎の行動圏属性データベースを作成し、かかる行動圏属性データベースを用いて見込み顧客リストを作成する顧客リスト作成システムが開示されている。
【０００４】
【特許文献１】
特開２０００−２９８６９０号公報
【０００５】
【発明が解決しようとする課題】
しかしながら、住所や郵便番号を用いて絞込みを行なう方法では、エリアを大まかに指示することはできるが、例えば、特定の店舗や施設の近隣に居住する人にＥメールを配信したい場合のように、狭い範囲のエリアを指示することは不可能である。また、ある私鉄沿線に住所や勤務先のある人を指定するときには、沿線付近の住所を調べて入力必要があり、そのための手間と時間がかかり、しかも沿線付近を正確に指定することは容易ではない。
【０００６】
また、上記の文献のシステムでは、利用者の行動圏属性のデータを蓄積するのに長時間を要し、しかも行動圏属性データベースを作り上げた後でないと、この文献のシステムを使用することはできないという問題がある。また、上記の文献のシステムでは、利用者に行動圏情報の入力を強いることになるので、利用者に負担がかかることにもなる。
【０００７】
本発明は上記事情に基づいてなされたものであり、配信先のエリアの指示を適確且つ容易に行なうことができ、しかも顧客の負担が少なく、実現が容易なメール配信システム、メール配信方法及びメール配信プログラムを提供することを目的とする。
【０００８】
【課題を解決するための手段】
上記目的を達成するために本発明に係るメール配信システムは、座標データを含む地図データと、顧客の住所に対応する緯度経度の座標データを含む顧客に関するデータとを有する統合データベースと、住所又は郵便番号のデータを対応する緯度経度の座標データに変換して出力するジオコーディング手段と、顧客に関するデータが新規登録又は変更されると、その顧客の住所又は郵便番号のデータを前記ジオコーディング手段に送って、前記座標データを取得し、その座標データに基づいて前記統合データベースの内容を更新する等の前記統合データベースの管理を行なう管理手段と、利用者からの要求に基づいて、前記統合データベースから必要なデータを検索して前記要求に対応する地図を用いて顧客を絞り込むエリアを指示するための検索用画面を表示する検索画面表示手段と、前記検索用画面に表示された地図を用いて、顧客の絞込みを行なうエリアを指示するエリア指示手段と、前記統合データベースを用いて前記指示されたエリア内に含まれる前記座標データを検索し、その座標データに基づいて顧客に関するデータのうちメール配信に必要なデータを取得する検索手段と、前記検索手段が検索したデータに基づいて、利用者が入力した文章を配信するメール配信手段と、を具備することを特徴とするものである。
【０００９】
また、本発明に係るメール配信方法は、座標データを含む地図データと、顧客の住所に対応する緯度経度の座標データを含む顧客に関するデータとを有する統合データベースの顧客に関するデータが新規登録又は変更されると、その顧客の住所又は郵便番号のデータを対応する緯度経度の座標データに変換し、変換した座標データに基づいて前記統合データベースの内容を更新する等の前記統合データベースの管理を行なう管理ステップと、利用者からの要求に基づいて、前記統合データベースから必要なデータを検索して前記要求に対応する地図を用いて顧客を絞り込むエリアを指示するための検索用画面を表示する検索画面表示ステップと、前記検索用画面に表示された地図を用いて、顧客の絞込みを行なうエリアを指示するエリア指示ステップと、前記統合データベースを用いて前記指示されたエリア内に含まれる前記座標データを検索し、その座標データに基づいて顧客に関するデータのうちメール配信に必要なデータを取得する検索ステップと、前記検索ステップが検索したデータに基づいて、利用者が入力した文章を配信するメール配信ステップと、を具備することを特徴とするものである。
【００１０】
また、本発明に係るメール配信プログラムは、メールを配信するためのコンピュータを、座標データを含む地図データと、顧客の住所に対応する緯度経度の座標データを含む顧客に関するデータとを有する統合データベースを記録するデータ記録手段、住所又は郵便番号のデータを対応する緯度経度の座標データに変換して出力するジオコーディング手段、顧客に関するデータが新規登録又は変更されると、その顧客の住所又は郵便番号のデータを前記ジオコーディング手段に送って、前記座標データを取得し、その座標データに基づいて前記統合データベースの内容を更新する等の前記統合データベースの管理を行なう管理手段、利用者からの要求に基づいて、前記統合データベースから必要なデータを検索して前記要求に対応する地図を用いて顧客を絞り込むエリアを指示するための検索用画面を表示する検索画面表示手段、前記検索用画面に表示された地図を用いて、顧客の絞込みを行なうエリアを指示するエリア指示手段、前記統合データベースを用いて前記指示されたエリア内に含まれる前記座標データを検索し、その座標データに基づいて顧客に関するデータのうちメール配信に必要なデータを取得する検索手段、及び、前記検索手段が検索したデータに基づいて、利用者が入力した文章を配信するメール配信手段として機能させるためのものである。
【００１１】
【発明の実施の形態】
［実施形態の構成］　以下に、本発明の１実施形態について図面を参照して説明する。図１は、本発明の１実施形態であるメール配信システムの概略構成図である。本実施形態のメール配信システムは、図１に示すように、ネットワーク接続された、利用者からの指示に基づいてメール配信先の顧客を絞り込み、絞り込まれた顧客にメールを配信するシステムサーバ１１と、利用者がメールを送信する顧客を絞り込むための複数の操作端末１２と、住所又は郵便番号（以下、単に住所等ともいう。）のデータを対応する緯度経度の座標データに変換して出力するジオコーディングサーバ１３と、地図データと、顧客ＩＤのデータと前記ＩＤと対応する座標データとを有する地図データベース１４と、顧客ＩＤのデータを含む顧客に関するデータを有する顧客データベース１５とを備えている。
【００１２】
図２は、システムサーバ１１の概略機能ブロック図である。本実施形態のシステムサーバ１１は、図２に示すように、本システムサーバ全体の制御を司る制御部２１と、ネットワークを介して端末１２やジオコーディングサーバ１３等とデータの送受を行なう送受信部２２と、地図データベース１４のデータの追加・変更・削除等の管理を行なうための地図データベース管理部２３と、顧客データベース１５の追加・変更・削除等の管理を行なうための顧客データベース管理部２４と、端末１２からの要求に基づいて端末１２の画面に顧客の絞り込みを行なうエリアを指定するための地図を含む検索用画面を表示する検索画面表示部２５と、指定されたエリア内に含まれる座標データを地図データベースから検索するマッピング部２６と、マッピング部２６によって検索された座標データに対応する顧客ＩＤのデータを用いて、顧客データベース１５からメール送信に必要な氏名やＥメールアドレス等のデータを検索する顧客データベース検索部２７と、顧客データベース検索部２７が検索したＥメールアドレス等を用いて利用者が作成した文章を配信するメール配信部２８とを有する。なお、本発明の検索手段は、マッピング部２６と顧客データベース検索部２７とを含むものである。また、本発明の管理手段は、地図データベース管理部２３と顧客データベース管理部２４とを含むものである。
【００１３】
端末１２は、システムサーバ１１から送られてきた検索用画面等を表示する表示部１２１と、表示部によって画面に表示された地図上で特定のエリアを指示するためのエリア指示手段であるマウス（不図示）と、配信する文章を入力する入力手段であるキーボード（不図示）とを備えている。端末としては、市販されているパーソナルコンピュータを使用することができる。
【００１４】
図３は、顧客データベースを説明するための図である。顧客データベース１５には、図３に示すように、Ｅメールを配信するのに必要なデータである、顧客を識別するために付与されるＩＤ番号と、顧客の住所と、顧客のメールアドレス（Ｅメールアドレス）と、顧客の氏名のデータが格納されている。なお、この顧客データベース１５には、図３に記載されているものの他に、勤務先名、勤務先の住所、性別、生年月日等のデータも格納されている。この顧客データベースへの登録は、顧客自身が自己のパーソナルコンピュータを用いて、顧客データベース１５を別個管理する管理サーバ（不図示）にアクセスし、登録することができるようにしてもよいし、顧客が紙に書いた住所や氏名等をＯＣＲで読み取って、顧客データベースに登録するようにしてもよい。また、この顧客データベース１５としては、既存のものを利用することもできる。
【００１５】
図４は、地図データベースを説明するための図である。地図データベース１４には、地図データの他に、図４に示すように、顧客ＩＤ番号及び顧客の住所を緯度と経度で示す座標データとが格納されている。なお、図４では、顧客ＩＤ番号と顧客の住所の座標データしか表示していないが、地図データベースには、これらの他に勤務先の住所の座標データも格納されている。この地図データベース１４の顧客ＩＤ番号と顧客データベース１５の顧客ＩＤ番号とは同じものである。地図データとしては、地図本体のデータと座標データとを有する市販のものを用いることができる。また、図４に示す顧客ＩＤのデータと対応する座標データとは表形式のデータとして本実施形態において新規に作り込んだものである。
【００１６】
図５は、端末に表示される検索用画面の概略図である。検索画面表示部２５は、制御部１１からの指示に基づき、図５に示す検索用画面を端末１２に表示する。この検索用画面には、図５に示すように、画面を左右にスクロール表示するための左右スクロールバー３１と、画面を上下にスクロール表示するための上下スクロールバー３２と、各種のボタン３３が配置されている。ボタン３３には、利用者がエリアを指示するときに使用する自由曲線ボタンや折れ線ボタン、及びエリアの指示を終えて検索を行なうときにクリックする完了ボタン、更に、縮尺を変更するボタン等が配置されている。
【００１７】
ジオコーディングサーバ１３は、システムサーバ１１の顧客データベース管理部２４から送られてきた住所等及び必要に応じて勤務地のデータを地図上の緯度と経緯からなる座標データに変換してシステムサーバ１１に送信する。なお、ジオコーディングサーバ１３で使用するジオコーディング用のソフトは、市販のものを使用することができる。顧客データベース管理部２４は、顧客データベース１５を管理し、新規の顧客が登録されたときに新規顧客の住所等のデータをジオコーディングサーバ１３に送って、新住所等に対応する座標データを取得し、取得した座標データと対応する顧客ＩＤのデータを地図データベース管理部２３に送る。地図データベース管理部２３は、送られてきた新規顧客ＩＤと座標データに基づいて、地図データベース１３を更新する。また、顧客データベース管理部２４は、顧客の住所等が変更されたときには、変更された住所等のデータをジオコーディングサーバ１３に送って、変更後の住所等に対応する座標データを取得し、取得した座標データと対応する変更された顧客ＩＤのデータを地図データベース管理部２３に送る。地図データベース管理部２３は、送られてきた顧客ＩＤと座標データに基づいて、地図データベース１３を更新する。顧客のデータが削除されたときには、同様にして地図データベース１３から、削除された顧客のデータを削除する。なお、既存の顧客データベースを使用する場合には、予め、一括して顧客の住所等をジオコーディングサーバ１３に送って、対応する座標データを取得し、取得した座標データと対応する顧客ＩＤとを地図データベース管理部に送って、地図データベース１４内に顧客ＩＤと対応する座標データとをテーブル形式のデータとして格納しておく。
【００１８】
［実施形態の処理手順］　次に、本実施形態のメール配信システムの処理手順について、図６を参照して説明する。図６は、本実施形態のメール配信システムの処理手順を説明するための図である。以下では、本実施形態のメール配信システムが不動産会社に設置されている場合について説明する。また、以下の処理手順は、支社に勤務する利用者である営業員が、新宿駅近くに建築した新規マンションの販売を促進するために、新宿駅に乗り入れているＪＲや私鉄の沿線に住所又は勤務先を有する人に案内文を送るときの手順である。
【００１９】
（１）先ず、利用者が支社の端末１２から本社のシステムサーバにアクセス１１すると、利用者のＩＤとパスワードの入力画面が端末に表示される。利用者が自己のＩＤとパスワードとを入力して、ＯＫボタンをクリックする。これにより端末１２は、入力された利用者のＩＤとパスワードとを本社のシステムサーバ１１に転送する。
【００２０】
（２）システムサーバ１１の制御部２１は転送されたＩＤとパスワードとが登録された正しいものであるときには、検索画面表示部２５に指示を送って、その端末１２に図５に示す検索用画面を表示させる。なお、検索用画面で最初に表示する地図は、検索用画面を送る前に、表示する地域を選択するための画面を端末に表示し、その画面上で順次、県名、市町村名を選択してもらうようにしてもよい。
【００２１】
（３）利用者はマウスを用いて検索用画面上のカーソルを移動して、画面に表示されている地図上に、メールを送りたい顧客のエリアを閉曲線等の図形を用いて指示する。図５の場合は、利用者が自由曲線を選択し、その選択した自由曲線により新宿を通過するＪＲや私鉄の各路線の沿線近傍を指示したときの状態を示している。なお、このエリアの指示に用いる図形は自由曲線によって指示されたものに限られるものではなく、閉じた図形であれば、円や四角形や楕円等の図形、或いは折れ線で描いた図形等であってもよい。また、複数のエリアを指示することも可能である。顧客を絞り込むエリアの指示が終了したら、画面の完了ボタンをクリックする。これにより、端末１２は指示したエリアのデータをシステムサーバ１１に転送する。
【００２２】
（４）システムサーバ１１の制御部２１は、端末からの顧客を絞り込むエリアのデータを受けると、マッピング部２６に検索の指示を送る。マッピング部２６は、この指示を受けて、地図データベースにアクセスし、送られてきたエリア内に含まれる座標データを検索する。
【００２３】
（５）マッピング部２６は、検索結果として、そのエリア内に含まれる座標データ及びその座標データの顧客ＩＤを取得する。（６）制御部２１は、取得したデータのうち、その合計の件数を示す数値のみを結果データとして端末１２に転送する。端末１２には、その合計の数値とＯＫボタンとキャンセルボタンが表示される。利用者は、この数値でよいと判断した場合にはＯＫボタンをクリックする。一方、この数値では合計の件数が多過ぎると判断したり、逆に少な過ぎると判断したりしたときには、キャンセルボタンをクリックする。キャンセルボタンがクリックされると、制御部２１は端末の画面に再度、検索用画面を表示させる。利用者は上述した手順によりエリアを指示し直して、完了ボタンをクリックする。
【００２４】
（７）利用者が画面に表示されている件数で良い判断して、ＯＫボタンをクリックすると、端末１２は、その旨の信号をシステムサーバ１１に転送し、絞り込んだ顧客のリストを要求する。（８）制御部２１は、顧客データベース検索部２７に絞り込んだ顧客のリストの作成を指示する。顧客データベース検索部２７は、マッピング部２６によって検索された各座標データに対応する顧客ＩＤを用いて、顧客データベース１５を検索する。
【００２５】
（９）検索結果として、当該エリア内に住所又は勤務地を有する顧客についてメールの配信に必要な氏名、勤務先名、Ｅメールアドレス等のデータを取得する。
（１０）取得したデータに基づいて、絞り込んだ顧客の氏名とＥメールアドレスを含むリストを作成して端末に表示する。利用者は、端末の画面に表示されたリストを確認し、良ければ、ＯＫボタンをクリックする。リストが望むものでない場合には、キャンセルボタンをクリックして、再度、エリアの指示からやり直す。
【００２６】
（１１）利用者がこのリストでよいと判断し、端末１２の画面上でＯＫボタンをクリックすると、端末の画面には、メールで送る文章の入力用画面が表示される。なお、この文章の入力用画面は公知のものであるので、この画面の詳細な説明は省略する。利用者は、この入力用画面を用いて、転送する文章を入力する。入力作業が完了したら、画面上の終了ボタンをクリックする。これにより入力した文章がシステムサーバ１１に転送される。制御部２１は、この文章を受信すると、メール配信部２８に、この文章の配信を指示する。メール配信部２８は、絞り込まれた顧客のリストを参照して、その文章を絞り込まれた顧客にＥメールで配信する。
【００２７】
（１２）絞り込まれた顧客の数に応じた適当な時間の経過後、利用者が端末１２から再び自己のＩＤとパスワードとを入力してシステムサーバにアクセスすると、顧客への配信が終了していれば、配信終了のメッセージが端末１２の画面に表示され、終了していなければ、配信中のメッセージが画面に表示される。以上の手順により、多数の顧客のなかから、配信したいエリア、すなわち新宿駅に乗り入れているＪＲや私鉄の沿線付近に住所や勤務先を有する顧客を検索して、新規マンションの案内文をＥメールで配信することができる。
【００２８】
［実施形態の効果］　上記の本実施形態のメール配信システムによれば、カーソルを用いて、検索用画面に表示された地図上で新宿駅に乗り入れているＪＲや私鉄の沿線を指定するだけで、多数の顧客の中から、これらの沿線に住所又は勤務先を有する顧客を適確に指定して案内文を配信することができる。
【００２９】
また、本実施形態によれば、例えば新宿駅の半径１００ｍ以内という極狭い範囲に住所又は勤務先を有する顧客を適確に指定して案内文を配信することも容易に行うことができる。
【００３０】
また、本実施形態によれば、不動産案内の送付を希望する顧客は、例えばインターネットを介して、顧客データベースを管理する管理サーバ等にアクセスして、最初に自己の住所や氏名等を顧客データベースに登録するだけよいので、顧客に対して大きな負担をかけることはない。また、顧客データベースは、既知のものであり、容易に構築することができるし、既存のものを使用することもできる。既存の顧客データベースを使用する場合、予め一括してジオコーディングサーバにより、住所等から座標データを生成し、地図データベースに顧客ＩＤと対応する座標データからなる表形式のデータを容易に造り込むことができる。更に、顧客データベースに新規の顧客が登録されると、ジオコーディングサーバにより自動的に座標データを生成し、地図データベースに新規顧客ＩＤと対応する座標データも自動的に加えられる。したがって、本実施形態の地図データベースも容易に構築することができる。すなわち、本実施形態のシステムは、従来のシステムに比べて、実現が容易である。
【００３１】
［他の実施形態］　本発明は、上記の実施形態に限定されるものではなく、その要旨の範囲内において種々の変形が可能である。例えば、上記の実施形態では、顧客データベースと地図データベースとを設けた場合について説明したが、両者を一体的に構成し、統合データベースとして一つのデータベースにまとめてもよい。
【００３２】
また、上記の本実施形態では、不動産会社の社員である営業員が本システムを使用する場合について説明したが、本実施形態のメール配信システムを不特定の者に利用させる場合には、顧客の個人情報を他人に公開することは好ましくないので、エリアを絞り込んだ後のリストの送付は省略し、利用者の端末には、エリア内の件数のみを表示するようにしてもよい。
【００３３】
また、上記の本実施形態では、サーバと端末とがネットワークで接続される場合について説明したが、本発明のメール配信システムは、ネットワークを用いずに、一台のコンピュータで構成することも可能である。
【００３４】
更に、上記の本実施形態では、システムサーバとジオコーディングサーバとを設ける場合について説明したが、システムサーバとジオコーディングサーバとを纏めて一つのサーバとしてもよい。逆に、上記の本実施形態では、システムサーバがメール配信を行なう場合について説明したが、メール配信は、別個に専用のメール配信サーバを設けるようにしてもよい。このように専用のサーバを設けることにより高速処理が可能となる。
【００３５】
また、本発明の目的は、上述した実施形態のシステムの機能を実現するソフトウエアのプログラムコード（実行形式を含む）を、その全体あるいは一部を記録した記憶媒体により、システムあるいは装置に供給し、そのシステムあるいは装置のコンピュータ（又はＣＰＵ，ＭＰＵ）が記憶媒体に格納されたプログラムコードを読み出して、動作の全部或いは一部を実行することによっても達成されることは言うまでもない。
【００３６】
この場合、記憶媒体から読み出されたプログラムコード自体が本実施形態の機能を実現することとなり、そのプログラムコードを記憶した記憶媒体は本発明を構成することとなる。
【００３７】
プログラムコードを供給するための記憶媒体としては、ＲＯＭ，フレキシブルディスク、ハードディスク、光ディスク、光磁気ディスク、ＣＤ−ＲＯＭ、ＣＤ−Ｒ、ＤＶＤ、磁気テープ、不揮発性のメモリカード等を用いることができる。さらに、通信回線を介してダウンロードすることによってプログラムコードを供給するようにしてもよいし、ＪＡＶＡ（登録商標）などの技術を利用してプログラムを供給して実行するようにしてもよい。
【００３８】
また、コンピュータが読み出したプログラムコードを実行することにより、本実施の形態の機能が実現されるだけでなく、そのプログラムコードの指示に基づき、コンピュータ上で稼動しているＯＳなどが実際の処理の一部又は全部を行い、その処理によって本実施の形態の機能が実現される場合も含まれることは言うまでもない。
【００３９】
さらに、記憶媒体から読み出されたプログラムコードが、コンピュータに挿入された拡張機能ボードやコンピュータが接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって本実施の形態の機能が実現される場合も含まれることは言うまでもない。
【００４０】
加えて、本発明はコンピュータに上記実施形態のシステムの機能を実現させるためのプログラムを含むプログラム・プロダクトであってもよい。ここで、プログラム・プロダクトというのは、コンピュータ・プログラムだけでなく、プログラムを記録した記録媒体或いはコンピュータを含むものである。
【００４１】
【発明の効果】
以上説明したように本発明によれば、検索用画面に表示された地図上でメールを配信する顧客を絞り込むエリアを指示するので、配信先のエリアの指示を適確且つ容易に行なうことができ、また顧客には氏名とＥメールアドレス等を入力してもらえばよいので顧客の負担が少なく、しかも指示されたエリア内に含まれる座標データを検索して、当該座標データを有する顧客にメールを配信するので、実現が容易なメール配信システム、メール配信方法及びメール配信プログラムを提供することができる。
【図面の簡単な説明】
【図１】本発明の１実施形態であるメール配信システムの概略構成図である。
【図２】システムサーバの概略機能ブロック図である。
【図３】顧客データベースを説明するための図である。
【図４】地図データベースを説明するための図である。
【図５】端末に表示される検索用画面の概略図である。
【図６】本実施形態のメール配信システムの処理手順を説明するための図である。
【符号の説明】
１１：システムサーバ、　１２：操作端末、　１３：ジオコーディングサーバ、　１４：地図データベース、　１５：顧客データベース、　２１：制御部、　２２：送受信部、　２３：地図データベース管理部、　２４：顧客データベース管理部、　２５：検索画面表示部、　２６：マッピング部、　２７：顧客データ検索部、　２８：メール配信部
【図１】
2004094740.tif 000003
【図２】
2004094740.tif 000004
【図３】
2004094740.tif 000005
【図４】
2004094740.tif 000006
【図５】
2004094740.tif 000007
【図６】
2004094740.tif 000008